(57)【要約】ＤＳＬにおけるウェブフォンサービス装置及びその方法を提供する。【解決手段】  デジタル加入者回線ウェブフォンサービス装置は、端末器の識別番号を格納管理するための格納手段と、一端末器からのインターネット電話サービス接続要請がある時、格納手段に基づき接続要請された他端末器の識別番号を検索して、ＩＰ割り当て制御手段に伝達し、ＩＰ割り当て制御手段から他端末器に割り当てられたＩＰを応答されて、一端末器に伝送するための端末番号の伝送手段と、端末番号の伝送手段から他端末器の識別番号を伝達されて、他端末器にＩＰが割り当てられているか否かを確認し、ＩＰが割り当てられていない場合に、ＩＰ割り当て手段を制御して他端末器の識別番号に該当するＡＴＭプール番号に余分のＩＰを割り当てるようにするＩＰ割り当て制御手段と、ＩＰ割り当て制御手段の制御下に、他端末器にＩＰを割り当て、割り当てられたＩＰをＩＰ割り当て制御手段に知らせるＩＰ割り当て手段とを含む。
2005521296.tif 000002
【特許請求の範囲】
【請求項１】
デジタル加入者回線のウェブフォンサービス装置において、
端末器の識別番号を格納管理するための格納手段と、
一端末器からのインターネット電話サービス接続要請がある時、前記格納手段に基づいて接続要請された他端末器の識別番号を検索して、ＩＰ割り当て制御手段に伝達し、前記ＩＰ割り当て制御手段から前記他端末器に割り当てられたＩＰを応答されて、前記一端末器に伝送するための端末番号の伝送手段と、
該端末番号の伝送手段から前記他端末器の識別番号を伝達されて、前記他端末器にＩＰが割り当てられているか否かを確認し、ＩＰが割り当てられていない場合には、ＩＰ割り当て手段を制御して前記他端末器の識別番号に該当するＡＴＭプール番号に余分のＩＰを割り当てるようにする前記ＩＰ割り当て制御手段と、
該ＩＰ割り当て制御手段の制御下に、前記他端末器にＩＰを割り当て、割り当てられたＩＰを前記ＩＰ割り当て制御手段に知らせるＩＰ割り当て手段と
を備えることを特徴とするウェブフォンサービス装置。
【請求項２】
情報提供者のインターネットコンテンツを格納及び管理するためのウェブ情報格納手段をさらに備えることを特徴とする請求項１に記載のウェブフォンサービス装置。
【請求項３】
前記一端末器が、好ましくは、インターネットコンテンツを提供する情報提供者(ＣＰ）の端末器であることを特徴とする請求項１に記載のウェブフォンサービス装置。
【請求項４】
前記ＩＰ割り当て制御手段が、前記ＩＰ割り当て手段を制御してＡＴＭヘッダプールから識別番号に該当する仮想ラインに強制に使用していないＩＰを付与し、特定識別番号に該当するＩＰ情報を抽出してデータベース形態で持っていながら前記端末番号の伝送手段の要請がある時、これをリターンする機能を行うことを特徴とする請求項１ないし３のいずれかに記載のウェブフォンサービス装置。
【請求項５】
デジタル加入者回線のウェブフォンサービス方法において、
一端末器からのインターネット電話サービス接続要請がある時に、ＰＮＤ(Phone Number Domain)から接続要請された他端末器の装備固有番号(ＭＩＮ番号)を抽出して、ＲＩＢ(Requested IP Broker）に伝達する第１ステップと、
前記ＲＩＢで前記他端末器にインターネットアドレス(ＩＰ)が割り当てられているか否かを判断する第２ステップと、
該第２ステップの判断結果に応じて、前記他端末器にＩＰが割り当てられていない場合に、ＮＡＳ(Network Access Server)を制御して、前記他端末器のＭＩＮ番号に該当するＡＴＭプール番号に余分のＩＰを割り当てるようにする第３ステップと、
前記ＲＩＢが前記他端末器に割り当てられたＩＰを、前記ＰＮＤを介して前記一端末器に伝達することにより、前記一端末器と前記他端末器との間にインターネット通話を設定する第４ステップと
を含むことを特徴とするウェブフォンサービス方法。
【請求項６】
前記一端末器が、好ましくは、インターネットコンテンツを提供する情報提供者(ＣＰ）の端末器であることを特徴とする請求項５に記載のウェブフォンサービス方法。
【請求項７】
前記第３ステップが、前記第２ステップの判断結果、前記他端末器にＩＰが割り当てられていないと、ＮＡＳを制御して前記他端末器のＭＩＮ番号に該当するＡＴＭプール番号に余分のＩＰを割り当てるようにして、前記ＮＡＳから前記一端末器が接続要請した前記他端末器に使用されていないＩＰを割り当てた後、割り当てられたＩＰを前記ＲＩＢに知らせることを特徴とする請求項５に記載のウェブフォンサービス方法。
【請求項８】
前記第２ステップの判断結果に応じて、前記他端末器にＩＰが割り当てられていると、前記ＲＩＢから自分が知っている前記他端末器のＩＰを、前記ＰＮＤを介して前記一端末器に伝達することにより、前記一端末器と前記他端末器との間にインターネット電話通話を設定する第５ステップをさらに含むことを特徴とする請求項５または６に記載のウェブフォンサービス方法。
【請求項９】
前記ＲＩＢが、前記ＮＡＳを制御してＡＴＭヘッダプールからＭＩＮ番号に該当する仮想ラインに強制に使用していないＩＰを付与し、特定ＭＩＮ番号に該当するＩＰ情報を抽出してデータベース形態で持っていながら、前記ＰＮＤの要請がある時、これをリターンする機能を行うことを特徴とする請求項５ないし７のいずれかに記載のウェブフォンサービス方法。
【請求項１０】
プロセッサを備えたウェブフォンサービス装置において、
一端末器からのインターネット電話サービス接続要請がある時に、ＰＮＤ(Phone Number Domain)から接続要請された他端末器の装備固有番号(ＭＩＮ番号)を抽出して、ＲＩＢ(Requested IP Broker）に伝達する第１機能と、
前記ＲＩＢで前記他端末器にインターネットアドレス(ＩＰ)が割り当てられているか否かを判断する第２機能と、
該第２機能の判断結果、前記他端末器にＩＰが割り当てられていない場合、ＮＡＳ(Network Access Server)を制御して、前記他端末器のＭＩＮ番号に該当するＡＴＭプール番号に余分のＩＰを割り当てるようにする第３機能と、
前記ＲＩＢが前記他端末器に割り当てられたＩＰを、前記ＰＮＤを介して前記一端末器に伝達することにより、前記一端末器と前記他端末器との間にインターネット通話を設定する第４機能と、
を実現させることを特徴とするプログラムを記録したコンピュータで読み出すことのできる記録媒体。
【請求項１１】
前記第２機能の判断結果、前記他端末器にＩＰが割り当てられていれば、前記ＲＩＢから自分が知っている前記他端末器のＩＰを、前記ＰＮＤを介して前記一端末器に伝達することにより、前記一端末器と前記他端末器との間にインターネット電話通話を設定する第５機能をさらに実現させることを特徴とする請求項１０に記載のプログラムを記録したコンピュータで読み出すことのできる記録媒体。
【発明の詳細な説明】
【技術分野】
【０００１】
本発明は、デジタル加入者回線(ｘＤＳＬ)におけるウェブフォンサービス装置及びその方法と、この方法を実現させるためのプログラムを記録したコンピュータで読み出すことのできる記録媒体に関する。
【背景技術】
【０００２】
ｘＤＳＬ(x Digital Subscriber Line）は、一般電話網の周波数帯域中、使用していない上位帯域を利用することにより、既存のＰＯＴＳ(Plain Old Telephone Service)使用を保障し、かつ高速のデータ伝送を提供する新しい伝送技術である。アナログ信号にどれくらい速い速度のデジタル信号を載せて伝送できるかは、基本的にアナログ信号の周波数帯域幅(伝送能力)と変調方式とにより決定される。
【０００３】
ｘＤＳＬ技術は、電話線の問題点である狭い帯域幅の問題を解決するために、電話線のアナログ帯域幅を拡大して使用する方法によりデジタル伝送速度を上げる。電話線路は、理論的に音声帯域幅である４ＫＨｚより広い帯域幅のアナログ信号を伝送することができる。しかし、伝送速度を上げるほど伝送できる距離が短くなり、線路の品質が良くなければならない。これに伴い、伝送距離と伝送速度の応用分野などによって多様な伝送速度及び伝送方式の技術が開発されつつある。
【０００４】
ｘＤＳＬは、様々な類型のＤＳＬ技術の総括的名称であって、その技術には、ＡＤＳＬ(Asymmetric DSL)、ＳＤＳＬ(Symmetric DSL)、ＨＤＳＬ(High-bit-rate DSL)、ＲＡＤＳＬ(Rate Adaptive Asymmetric DSL)、ＶＤＳＬ(Very High-bit-rate DSL)などがあり、既存の電話線を利用してＶＯＤ(Video On Demand)、高速インターネット接続、遠隔教育、ビデオフォンのような高速マルチメディアサービスを提供する。
【０００５】
非対称デジタル加入者線(以下、「ＡＤＳＬ」と記す)は、１９８８年米国のベルコア社が主に注文型ビデオ(ＶＯＤ)を目指して開発した技術である。しかし、全世界的に注文型ビデオの商用化があまり進められなかったから、ＡＤＳＬも大きく注目されなかった。ＡＤＳＬに対した関心が生じたのは、１９９５年インターネットブームと共に通信速度が問題となり始めてからである。
【０００６】
ＡＤＳＬは、現在の電話線や電話機をそのまま使用しながらも高速データ通信が可能であるだけでなく、データ通信と一般電話を同時に利用できることが特徴である。すなわち、従来モデムは、電話とデータ通信を同時に使用することができず、ＩＳＤＮ(Integrated Services Digital Network）は、同時に使用可能であっても、データ通信の速度が半分に落ちるという短所がある。しかし、ＡＤＳＬは、１つの電話線において、電話は低い周波数を使用し、データ通信は高い周波数を使用する原理を採用するため、混線が発生せず、かつ通信速度も落ちない。
【０００７】
したがって、一個の電話線で電話は低い周波数を使用し、データ通信は高い周波数を使用する原理を採用するため、混線がなく、通信速度も従来のモデムに比べて最大１００倍以上速いという利点がある。また、従来の加入者電話線を使用することにより、新しく施設を構築する必要がなくなって低コストでサービスを利用できるという長所がある。
【０００８】
図１は、従来のＡＤＳＬ通信システムの構成図である。同図において、１０１はユーザ端末器、１０２はＡＤＳＬモデム、１０３はＤＳＬＡＭ(Digital Subscriber Line Access Multiplexer)、１０４はＮＡＳ(Network Access Server)を各々示す。ＡＤＳＬ通信システムの構成要素に対し、さらに詳細に説明すれば、次の通りである。
【０００９】
まず、ユーザ端末器１０１は、加入者のパーソナルコンピュータ(ＰＣ)及び電話機を含んで構成される。ＡＤＳＬモデム１０２は、ＡＤＳＬ通信に必要な変調及び復調を行う。ＤＳＬＡＭ１０３は、ＡＤＳＬモデム１０２から電話線を通じて受信される信号を多重化してＮＡＳ１０４に接続する役割を行う。そして、ＮＡＳ１０４は、ＡＤＳＬサービスにおいて必須不可欠な要素であって、加入者プロトコル終端機能とインターネットプロトコル(以下、「ＩＰ」と記す）アドレスを付与して、認証サーバのクライアントまたはサーバとして動作し、インターネットにルーチングを担当するゲートウェイの役割をするＡＤＳＬ網のルータである。一方、ＡＤＳＬモデム１０２とＤＳＬＡＭ１０３とは、レイヤ２での非同期伝送モード(ATM: Asynchronous Transfer Mode)方式の通信を行い、ＤＳＬＡＭ１０３とＮＡＳ１０４との間の通信は、非同期伝送モード(ＡＴＭ)方式を利用する。
【００１０】
ＡＤＳＬ通信システムを利用したＡＤＳＬの動作過程を次の図２を利用してさらに詳細に説明する。図２は、従来のＡＤＳＬ通信過程を示した一例である。同図において、２０１、２０７はユーザ端末器、２０２、２０６はＡＤＳＬモデム、２０３はＤＳＬＡＭ、２０４はＮＡＳ、そして２０５はＰＭＳ(Radius）を各々示す。
【００１１】
まず、ＮＡＳ２０４は、ＡＤＳＬサービスにおいて必須不可欠な要素であって、加入者プロトコル終端機能とＩＰアドレスを付与して認証サーバのクライアントまたはサーバとして動作し、インターネットにルーチングを担当するゲートウェイの役割をするＡＤＳＬ網のルータである。また、ＮＡＳ２０４は、ＤＳＬＡＭ２０３及びＡＤＳＬモデム２０２、２０６とデータリンクレイヤでの非同期伝送モード(以下、「ＡＴＭ」と記す)方式のＡＴＭセルを伝送し、ＤＳＬＡＭ２０３とＡＤＳＬモデム２０２、２０６との間は、物理レイヤにおけるＡＤＳＬ接続方式で動作する。
【００１２】
ＮＡＳ２０４とユーザ端末器２０１、２０７との間には、ＩＰ基盤通信及びデータ認証及び保安、ＩＰ自動割り当て及び多重プロトコルを支援するＰＰＰ(Point-to-Point Protocol)セッションを形成する。このＰＰＰセッションは、ＡＴＭのＡＡＬ５(ATM Adaptation Layer 5)上に多重プロトコルを定義する規約「ＲＦＣ１４８３」によりカプセル化される。ＤＳＬＡＭ２０３は、ＡＤＳＬモデム２０２、２０６から電話線を通じて受信される信号を多重化して、ＮＡＳ２０４に接続する役割を行う。
【００１３】
一方、ＡＴＭセルは、ＡＴＭヘッダの５バイトとペイロードであるデータ４８バイトとからなっており、ＡＴＭヘッダには、ＶＣＩ/ＶＰＩ(Virtual Channel Identifier/Virtual Path Identifier)のようなセルを目的地にどのようにルーチングするかに対する情報らが含まれており、ＮＡＳ２０４は、ＡＤＳＬモデム２０２、２０６と１対１仮想接続である永久仮想チャネル(ＰＶＣ：Permanent Virtual Channel）に接続されている。すなわち、ＡＴＭセルの目的地アドレスであるＶＣＩ(Virtual Channel Identifier Channel Identifier)がＡＤＳＬモデム２０２、２０６の固有番号であるＭＩＮ(Machine Identification Number)番号に接続されて仮想チャネル通信をするようになる。ここで、ＭＩＮ番号は、ＮＡＳ２０４が管理するＡＤＳＬ装備の固有番号となる。
【００１４】
これから、従来の技術に係るＡＤＳＬ接続過程を以下に述べる。まず、ＰＰＰｏＥ(PPP over Ethernet（登録商標）)クライアントであるユーザ端末器２０１、２０７は、ＰＰＰｏＥクライアントプログラムを内蔵しているので、ＰＰＰｏＥプロトコルを利用してＩＰパケットデータをカプセル化した後、電話局にあるＤＳＬＡＭ２０３装備まで光ラインを通したＡＴＭ接続で接続し、ＤＳＬＡＭ２０３では複数の加入者を多重化してＮＡＳ２０４まで接続する。以後、ＰＰＰｏＥサーバに該当するＮＡＳ２０４で再度データのカプセル化を解除してインターネットに連動させる。
【００１５】
この場合、ユーザ端末器２０１、２０７の立場でＰＰＰｏＥプロトコルを利用して、ＡＤＳＬルータに該当するＮＡＳ２０４へのＰＰＰ接続にイーサネット（登録商標）パケットを載せて送ることによって、ユーザ端末器２０１、２０７からＮＡＳ２０４まで仮想経路が設定される。すなわち、ユーザ端末器２０１、２０７でＰＰＰｏＥクライアントプログラムを駆動させれば、ユーザ端末器２０１、２０７->ＡＤＳＬモデム２０２->ＤＳＬＡＭ２０３->ＮＡＳ２０４まで仮想経路が設定され、ＮＡＳ２０４に接続されている認証サーバであるＰＭＳ(Radius）２０５を介して加入者情報を入手した後、認証されれば、インターネットに接続される。インターネットの加入者情報サーバであるＰＭＳ(Radius）２０５から検証されれば、ＰＭＳ(Radius）２０５は、ＮＡＳ２０４を制御してＮＡＳ２０４の内部にあるＩＰをその加入者に割り当てる。
【発明の開示】
【発明が解決しようとする課題】
【００１６】
しかし、このようなＡＤＳＬなどのような通信網環境下では、ユーザ端末器２０１、２０７が一定時間(例えば、３０分間)信号を送信しないと、ＮＡＳ２０４で所定の時間が経過する瞬間、仮想経路を強制に解除しＩＰを回収していく。すなわち、ＡＤＳＬ環境ではＩＰアドレスを回収していき、再度端末器の反応があれば、後ほどＩＰを新しく付与する方式で動作するため、常にウェブフォン端末器がオンの状態になっていないとＩＰが付与されないため、ＩＰに基づいたウェブフォンサービスを使用できないだけでなく、相手方の端末から要請がある場合、リアルタイム通信ができないという問題点があった。
【００１７】
本発明は、上述したような問題点を解決するためになされたもので、その目的は、デジタル加入者回線網環境でＩＰ回収により発生する通信不能を解決して、ウェブフォンサービスを行うことのできるウェブフォンサービス装置及びその方法と、この方法を実現させるためのプログラムを記録したコンピュータで読み出すことのできる記録媒体を提供することである。
【課題を解決するための手段】
【００１８】
この目的を達成するための本発明の装置は、デジタル加入者回線のウェブフォンサービス装置において、端末器の識別番号を格納管理するための格納手段と、一端末器からのインターネット電話サービス接続要請がある時、前記格納手段に基づいて接続要請された他端末器の識別番号を検索して、ＩＰ割り当て制御手段に伝達し、前記ＩＰ割り当て制御手段から前記他端末器に割り当てられたＩＰを応答されて、前記一端末器に伝送するための端末番号の伝送手段と、該端末番号の伝送手段から前記他端末器の識別番号を伝達されて、前記他端末器にＩＰが割り当てられているか否かを確認し、ＩＰが割り当てられていない場合には、ＩＰ割り当て手段を制御して前記他端末器の識別番号に該当するＡＴＭプール番号に余分のＩＰを割り当てるようにする前記ＩＰ割り当て制御手段と、該ＩＰ割り当て制御手段の制御下に、前記他端末器にＩＰを割り当て、割り当てられたＩＰを前記ＩＰ割り当て制御手段に知らせるＩＰ割り当て手段とを備えることを特徴とする。
【００１９】
また、本発明の他の装置は、インターネットコンテンツを格納及び管理するためのウェブ情報格納手段をさらに備えることを特徴とする。
【００２０】
一方、本発明の方法は、デジタル加入者回線のウェブフォンサービス方法において、一端末器からのインターネット電話サービス接続要請時に、ＰＮＤ(Phone Number Domain)から接続要請された他端末器の装備固有番号(ＭＩＮ番号)を抽出して、ＲＩＢ(Requested IP Broker）に伝達する第１ステップと、前記ＲＩＢで前記他端末器にインターネットアドレス(ＩＰ)が割り当てられているか否かを判断する第２ステップと、該第２ステップの判断結果に応じて、前記他端末器にＩＰが割り当てられていない場合に、ＮＡＳを制御して、前記他端末器のＭＩＮ番号に該当するＡＴＭプール番号に余分のＩＰを割り当てるようにする第３ステップと、前記ＲＩＢが前記他端末器に割り当てられたＩＰを前記ＰＮＤを介して前記一端末器に伝達することにより、前記一端末器と前記他端末器との間にインターネット通話を設定する第４ステップとを含むことを特徴とする。
【００２１】
一方、本発明は、プロセッサを備えたウェブフォンサービス装置において、一端末器からのインターネット電話サービス接続要請時に、ＰＮＤから接続要請された他端末器の装備固有番号(ＭＩＮ番号)を抽出して、ＲＩＢに伝達する第１機能と、前記ＲＩＢで前記他端末器にインターネットアドレス(ＩＰ)が割り当てられているか否かを判断する第２機能と、該第２機能の判断結果、前記他端末器にＩＰが割り当てられていない場合、ＮＡＳを制御して、前記他端末器のＭＩＮ番号に該当するＡＴＭプール番号に余分のＩＰを割り当てるようにする第３機能と、前記ＲＩＢが前記他端末器に割り当てられたＩＰを、前記ＰＮＤを介して前記一端末器に伝達することにより、前記一端末器と前記他端末器との間にインターネット通話を設定する第４機能とを実現させるプログラムを記録したコンピュータで読み出すことのできる記録媒体を提供する。
【発明を実施するための最良の形態】
【００２２】
上述した目的、特徴ら及び長所は、添付された図面と関連した次の詳細な説明によりさらに明確になるだろう。以下、添付された図面を参照して本発明に係る好ましい一実施の形態を詳細に説明する。但し、本実施の形態ではさらに好ましい実施の形態として大容量のデータを高速に伝送するのに広く用いられるＡＤＳＬ網を例として説明する。
【００２３】
図３は、本発明に係るＡＤＳＬウェブフォンサービス装置の一実施形態の構成図である。固定ＩＰであるＬＡＮ(Local Area Network)では、ＶｏＩＰ(Voice over Internet Protocol)電話及び両端末器間の接続がオンの状態であれば、いつでも接続が可能である。全ての接続がインターネットを介して接続されるので、ＩＰアドレスが必ずなければならず、通信可能な状態とならなければならない。したがって、本発明では、固定ＩＰでは問題ないが、ＡＤＳＬではＩＰを回収していくから、通信ができないという問題点を解決して、いつでも要請があれば通信できるように、すなわち、ＡＤＳＬシステムにおいてＶｏＩＰのようなサービスができるようにした。
【００２４】
図３に示すように、本発明に係るＡＤＳＬウェブフォンサービス装置は、まず、相手方の端末器(ユーザ端末器Ａ３０１)への接続要請を受けて、相手方の端末器(ユーザ端末器Ａ３０１）の識別番号を検索してＲＩＢ(Requested IP Broker)３０５に伝達し、ＲＩＢ３０５から相手方の端末器に割り当てられたＩＰを応答されて、接続要請端末器(ユーザ端末器Ｂ３１０）に伝送するＰＮＤ(Phone Number Domain)３０６とＰＮＤ３０６から相手端末器(ユーザ端末器Ａ３０１)の識別番号を伝達されて相手方の端末器(ユーザ端末器Ａ３０１)の識別番号に該当するＡＴＭプール番号に余分のＩＰ割り当てを命令し、割り当てられたＩＰを伝達されてＰＮＤ３０６に伝達するＲＩＢ３０５と、ＲＩＢ３０５からＩＰ割り当て命令を受けて相手方の端末器(ユーザ端末器Ａ３０１)に使用されていないＩＰを割り当て、ＩＰを収集してＲＩＢ３０５に伝達するＮＡＳ３０４と、ＰＮＤ３０６から相手方の端末器(ユーザ端末器Ａ３０１)の識別番号要請を受けて相手方の端末器の識別番号を伝達するＰＭＳ(Radius)３０７と、ＮＡＳ３０４が管理するユーザの識別番号を格納するユーザデータベース３０８とを備える。
【００２５】
また、本発明に係るＤＳＬウェブフォンサービス装置は、インターネットコンテンツを格納及び管理するＷＩＢ(Web Information Bank)３１１をさらに含む。既存のＡＤＳＬ環境ではＩＰアドレスを回収していき、再度端末器の反応があれば、再びＩＰを付与する方式で動作するため、常にウェブフォン端末器がオンの状態になっていないとＩＰを付与しない。
【００２６】
このような環境下では、各終端が常に固定ＩＰでなければならないＶｏＩＰ電話を使用することができないため、これを解決するための方案として、ＡＤＳＬウェブフォンサービス装置にＲＩＢ３０５が備えられる。ＲＩＢ３０５は、ＮＡＳ３０４を制御して、接続されていないユーザ端末器Ａ３０１のＡＤＳＬモデム３０２と現在接続を希望するユーザ端末器Ｂ３１０のＡＤＳＬモデム３０９を強制駆動して、使用していないＩＰを接続されていないユーザ端末器Ａ３０１に強制割り当て、そのＩＰを、現在接続を希望するユーザ端末器Ｂ３１０にリターンすることによって、両地点間の通信を可能にする。
【００２７】
ＡＤＳＬは、既存ＰＳＴＮでモデムを利用してＲＡＳに接続してＲＡＤＩＵＳ(Remote Authentication Dial-In User Services)サーバで認証を受けた後、インターネットに接続されていたＰＰＰ接続の発展した形態であって、イーサネット（登録商標）プロトコルをＰＰＰ接続に載せて送ってＮＡＳ３０４からインターネットへ接続する形態を取る点で類似している。このような接続をＰＰＰｏＥ接続と言い、本発明に係るＡＤＳＬウェブフォンサービス装置ではユーザ端末器３０１、３１０からＩＰを付与することではなく、反対方向にＮＡＳ３０４からＩＰを付与するようになるので、「Ｒｅｖｅｒｓｅｄ」という用語を付けてＲｅｓｅｒｖｅｄ  ＰＰＰｏＥ、すなわちｒＰＰＰｏＥという新しいプロトコルが生じるようになった。
【００２８】
一方、ＰＮＤ３０６は、ユーザ端末器３０１、３１０のＰｏｉｎｔ-ｔｏ-Ｐｏｉｎｔ両方向通信機能、伝送コンテンツ判別/抽出/加工機能、ユーザ登録手続自動化機能、端末器別加入者判別機能、加入者認識/認証/サービス機能、サービス別権限及び設定機能、シングルサイン-オン機能及びユーザ情報処理機能、そしてＷＩＢ３１１、付加装備、インターネット連動機能などを持っている。また、ＰＮＤ３０６ではアクティブセッションテーブル(Active Session Table）を持っており、アクティブセッションテーブルには、ＭＩＮ番号、ＩＤ、パスワード、そして最近ユーザが訪問しているＵＲＬを示すヒストリースタック(History Stack）を格納している。
【００２９】
ＷＩＢ３１１は、ユーザ端末器３０１、３１０で利用できる生活インターネットコンテンツバンクであって、ウェブサーバとデータベースの役割を果たす。すなわち、入店者別コンテンツ格納及び管理機能、入店者コンテンツディレクトリ政策及び管理機能、入店者別コンテンツデータ抽出/加工/伝達機能、各デバイス支援コンテンツフォーマット生成機能、そして中央及び地域ＷＩＢ連動/管理機能などを含んでいる。ＮＡＳ３０４は、非同期伝送モード(ＡＴＭ)ヘッダプール(Head Pool)を持っているが、これはＡＴＭプール番号とＩＰ番号、ＭＩＮ番号がマッチングされて格納されている。したがって、ＲＩＢ３０５から相手の端末器のＭＩＮ番号に該当するＡＴＭプール番号に余分のＩＰを割り当てとの命令を受け取れば、使用されていないＩＰを割り当てる。
【００３０】
上述したような構成による本発明に係るＡＤＳＬウェブフォンサービス方法を説明すれば次の通りである。まず、ユーザ端末器Ａ３０１が接続されていなくてＩＰが割り当てられていない場合を述べる。
【００３１】
まず、現在接続を希望するユーザ端末器Ｂ３１０が接続されていないため、ＩＰが割り当てられていないユーザ端末器Ａ３０１にインターネット電話をしようとすると仮定する。すなわち、インターネット電話を使用しようとするユーザが、ユーザ端末器Ｂ３１０で接続を希望する相手方のユーザ端末器Ａ３０１の電話番号を押して電話をかけようとしている。そうすると、ＰＮＤ３０６は、ユーザ端末器Ａ３０１の装備固有番号に該当するＭＩＮ番号をユーザデータベース３０８から検索して、ＲＩＢ３０５に伝達する。ここで、ユーザデータベース３０８は、ユーザ端末器のＭＩＮ番号、ＩＤ、パスワードを格納管理しており、ＰＭＳ３０７の管理を受けるようになる。以後、ＰＮＤ３０６からＭＩＮ番号を伝達されたＲＩＢ３０５は、ＮＡＳ３０４を制御して、ユーザ端末器Ａ３０１のＭＩＮ番号に該当するＡＴＭプール番号に余分のＩＰを割り当てるようにする。
【００３２】
ここで、ＲＩＢ３０５は、ＮＡＳ３０４のコントロールポートを制御してＡＴＭヘッダプールからＭＩＮ番号に該当する仮想ラインに強制に使用しないＩＰを付与し、特定ＭＩＮ番号に該当するＩＰ情報を抽出してデータベース形態で持っていながら、ＰＮＤ３０６やユーザの要請がある時、これをリターンする機能をする。それで、「Requested IP Broker」と言う。このようにＮＡＳ３０５からユーザ端末器Ｂ３１０が接続要請したユーザ端末器Ａ３０１に使用されていないＩＰを割り当てるようになれば、ＲＩＢ３０５は、ユーザ端末器Ａ３０１に割り当てられたＩＰをＰＮＤ３０６に渡し、ＰＮＤ３０６は、ユーザ端末器Ａ３０１に割り当てられたＩＰを接続要請したユーザ端末器Ｂ３１０に伝達する。そうすると、ユーザ端末器Ｂ３１０ではＮＡＳ３０５を介した呼伝達によりユーザ端末器Ａ３０１との電話接続をするようになる。
【００３３】
一方、既にＩＰアドレスが割り当てられている場合には、既にＲＩＢ３０７で現在ユーザ端末器Ａ３０１のＩＰを知っているので、ＰＮＤ３０６でユーザ端末器Ｂ３１０が接続要請したユーザ端末器Ａ３０１のＭＩＮ番号をユーザデータベース３０８から抽出した後、ＲＩＢ３０５に伝達して、このＭＩＮ番号に該当するＩＰアドレスをＲＩＢ３０５から渡されてユーザ端末器Ｂ３１０にリターンする方式で行われる。
【００３４】
図４は、本発明に係るＡＤＳＬウェブフォンサービス方法に対する一実施の形態のフローチャートである。図４に示すように、本発明に係るＡＤＳＬウェブフォンサービス方法は、まずインターネット電話を使用しようとするユーザがユーザ端末器Ｂ３１０で接続を希望する相手方のユーザ端末器Ａ３０１の電話番号を押してインターネット電話サービス接続要請(相手方の端末器の電話番号)をすれば(４０１)、ＰＮＤ３０６は、ユーザ端末器Ａ３０１の装備固有番号に該当するＭＩＮ番号をユーザデータベース３０８から検索した後、ＲＩＢ３０５に伝達する(４０２)。
【００３５】
以後、ＰＮＤ３０６からＭＩＮ番号を伝達されたＲＩＢ３０５は、ＭＩＮ番号を有する相手方のユーザ端末器Ａ３０１にＩＰが割り当てられているか否かを判断する(４０３)。この時、ＲＩＢ３０５は、ユーザ端末器Ｂ３１０が接続要請したユーザ端末器Ａ３０１のＩＰを知っている。判断結果、相手方のユーザ端末器Ａ３０１にＩＰが割り当てられていないと、ＲＩＢ３０５では、ＮＡＳ３０４を制御してユーザ端末器Ａ３０１にＩＰを割り当てるようにする(４０４)。ＮＡＳ３０４は、ユーザ端末器ＡのＭＩＮに該当するＡＴＭプール番号に他のユーザ端末器で使用されていないＩＰを割り当てた後、そのＩＰをＲＩＢ３０５に伝達する(４０５)。
【００３６】
次に、ＲＩＢ３０５は、ユーザ端末器Ａ３０１に割り当てられたＩＰをＰＮＤ３０６に渡し、ＰＮＤ３０６は、ユーザ端末器Ａ３０１に割り当てられたＩＰを接続要請したユーザ端末器Ｂ３１０に伝達してユーザ端末器Ｂ３１０とユーザ端末器Ａ３０１との間に通話を設定する(４０６)。判断結果、相手ユーザ端末器Ａ３０１にＩＰが割り当てられていれば、ＲＩＢ３０５では、現在ユーザ端末器Ｂ３１０が接続要請したユーザ端末器Ａ３０１０のＩＰを知っているので、ユーザ端末器Ａ３０１に割り当てられたＩＰをＰＮＤ３０６に渡し、ＰＮＤ３０６では、ユーザ端末器Ａ３０１に割り当てられたＩＰを接続要請したユーザ端末器Ｂ３１０に伝達して、ユーザ端末器Ｂ３１０とユーザ端末器Ａ３０１との間に通話を設定する(４０６)。
【００３７】
上述したような本発明の方法は、プログラムで具現されてコンピュータで読み出すことのできる形態で記録媒体(ＣＤ  ＲＯＭ、ＲＡＭ、ＲＯＭ、フロッピー（登録商標）ディスク、ハードディスク、光磁気ディスク等)に格納されることができる。上述したような本発明は、ＡＤＳＬにおけるＩＰ回収により生じる通信不能の問題点を解決して、要請がある度にいつでもＶｏＩＰ電話サービスを提供できるという効果がある。なお、本発明は、上記の実施の形態に限定されるものではなく、本発明に係る技術的思想から逸脱しない範囲内で様々な変更が可能であり、それらも本発明の技術的範囲に属する。
【図面の簡単な説明】
【００３８】
【図１】従来のＡＤＳＬ通信システムの構成図である。
【図２】従来のＡＤＳＬ通信過程を示す図である。
【図３】本発明に係るＡＤＳＬウェブフォンサービス装置の一実施形態の構成図である。
【図４】本発明に係るＡＤＳＬウェブフォンサービス方法に対する一実施形態のフローチャートである。
【図１】
2005521296.tif 000003
【図２】
2005521296.tif 000004
【図３】
2005521296.tif 000005
【図４】
2005521296.tif 000006
【国際調査報告】
2005521296.tif 000007